(57)【要約】【課題】筐体に電子機器を支持するための、簡易な構造で緩衝性能に優れた支持具、及び、本支持具を用いた収納装置を提供することを目的とする。【解決手段】支持具は、筐体１０の一対の開口部１２の両側で、ＨＤＤ３０に固定した補助具４０を、膠化体状樹脂からなる緩衝部材７０にて掴持させて、押さえ板６０を筐体１０にねじ８０で固定することにより、ＨＤＤ３０を筐体１０内に支持する。尚、緩衝部材７０による補助具４０の掴持は、押さえ板６０で、補助具４０に当接させた緩衝部材７０を、筐体１０の外側から開口部１２側に押圧することにより変形させて行う。これにより、本支持具では、ＨＤＤ３０及び筐体１０の一方から他方へ伝わる衝撃や振動などの外力を、緩衝部材７０の変形により吸収できる。【選択図】　図１
2004128396.tif 000002
【特許請求の範囲】
【請求項１】
電子機器を収納可能な筐体の開口部に設けられ、該筐体内に収納された電子機器を前記筐体に支持する支持具であって、
エラストマーまたは膠化体状樹脂からなる緩衝部材と、
該緩衝部材を前記筐体の外側から前記開口部側に押圧することにより、前記緩衝部材を、前記電子機器の開口部側端面に当接して該電子機器の開口部側端部を掴持するように変形させる押さえ板と、
該押さえ板が前記緩衝部材を押圧した状態で、前記押さえ板を前記筐体に固定する固定部と、
を備えたことを特徴とする電子機器の支持具。
【請求項２】
前記押さえ板の前記緩衝部材との対向面には、
前記緩衝部材を押圧した際に、前記電子機器の開口部側端面に当接して、当該押さえ板側に戻される緩衝部材、
を収納するための凹部が形成されていることを特徴とする請求項１記載の電子機器の支持具。
【請求項３】
前記固定部は、
前記押さえ板の一端を前記筐体の開口部付近に回動可能に固定するヒンジ部と、
該ヒンジ部を中心に前記押さえ板を回動させて、前記押さえ板にて前記緩衝部材を押圧した際、該押さえ板のヒンジ部とは反対側端部を前記筐体に着脱自在に固定するための係止部と、
を備えたことを特徴とする請求項１又は請求項２記載の支持具。
【請求項４】
前記緩衝部材にて掴持可能な大きさの突起部を有し、該突起部が前記電子機器の開口部側端部から突出するように前記電子機器に装着可能な補助具、
を備えたことを特徴とする請求項１〜請求項３何れか記載の支持具。
【請求項５】
電子機器を収納可能で、少なくとも側壁の一部が開口された筐体と、
該筐体の開口部に設けられ、該筐体内に収納された電子機器を前記筐体に支持する支持具と、
を備えた電子機器の収納装置であって、
前記支持具として、請求項１〜請求項４何れか記載の支持具を備えたことを特徴とする電子機器の収納装置。
【請求項６】
前記筐体は、互いに対向する側壁に形成された一対の開口部を備え、
前記支持具は、該一対の開口部に夫々設けられることを特徴とする請求項６記載の電子機器の収納装置。
【発明の詳細な説明】
【０００１】
【発明の属する技術分野】
本発明は、電子機器及び筐体の一方から他方へ伝わる衝撃や振動を緩和可能なように、電子機器を筐体に支持する支持具に関する。
【０００２】
【従来の技術】
従来、パーソナルコンピュータや、オーディオ機器など筐体内に電子機器を組み込んだ装置において、この組み込まれる電子機器は、種々の方法で筐体内に支持されている。
【０００３】
例えば、組立作業の効率化を図るため、あるいは交換等を容易にするために、電子機器をユニット化した内蔵型装置は、その側面をねじなどの支持具により筐体に固定して支持する構造になっている。具体的に、パーソナルコンピュータでは、その筐体に、ユニット化した内蔵型装置である磁気ディスク装置や光ディスク装置などの内蔵型周辺装置が、その両側面をねじにて固定することで支持されている。
【０００４】
ところで、上記電子機器には、衝撃に弱い電子部品や可動機構が搭載されていることも多く、その場合、筐体に加わった衝撃が電子機器へ、そのまま伝わると、電子機器内の電子部品や可動機構が故障する可能性がある。また、モーター等の振動源が電子機器に搭載されている場合、この電子機器で発生した振動が筐体へそのまま伝わると、筐体が振動して騒音の原因となったり、さらに他の部品に振動が伝わって予期しない悪影響を及ぼしたりする可能性がある。
【０００５】
これに対し、衝撃や振動を緩和する構造の一つとして、従来、電子機器を筐体に固定していたねじの部分を、筐体と電子機器とねじとの間に弾性体などの緩衝部材を挟むようにし、この緩衝部材により筐体若しくは電子機器からの衝撃及び振動を吸収するようにした構造が知られている（例えば、特許文献１参照）。
【０００６】
【特許文献１】
特開平６−２８８３６（４−６頁、第１−２図）
【０００７】
【発明が解決しようとする課題】
しかし、上記従来例の構造では、衝撃や振動の力を受ける緩衝部材の受圧面積は、ねじに取り付けたワッシャ程度の面積しかとることができず、緩衝部材にかかる圧力が大きいため、緩衝部材はバネ定数の大きな弾性材料とする必要がある。このため、緩衝部材としては、硬めで緩衝効果が小さいものしか使用できず、十分な緩衝性能を得ることが難しいという問題点がある。
【０００８】
その他の衝撃や振動を緩和する構造としては、筐体全体を緩衝部材で包むような構造も考えられるが、電子機器が発生する熱の放熱が阻害される問題や、緩衝部材が多量に必要となりコストが高くなってしまうという問題がある。
また近年、電子機器（例えば、ＰＣカード型のハードディスク等）を、デジタルカメラ用のデータ記録媒体や、携帯型音楽再生装置用の音楽データ記録媒体として、携帯して利用する装置に用いることが考えられている。このような用途において電子機器は、車上等の振動環境に置かれたり、不用意に周囲の物にぶつけたり、ぶつけられたりして衝撃や振動を受けやすい状況になる。このため、できるだけ簡易な構造で、より良い緩衝効果が得られる支持具が望まれている。
【０００９】
本発明は、こうした問題点に鑑みなされたものであり、簡易な構造で緩衝性能に優れた支持具、及び、本支持具を用いた収納装置を提供することを目的とする。
【００１０】
【課題を解決するための手段】
かかる目的を達成するためになされた請求項１記載の支持具においては、電子機器を収納可能な筐体の開口部に設けられ、押さえ板が、エラストマーまたは膠化体状樹脂からなる緩衝部材を、筐体の外側から開口部側に押圧することにより、緩衝部材を、電子機器の開口部側端面に当接して電子機器の開口部側端部を掴持するように変形させ、押さえ板が緩衝部材を押圧した状態で、押さえ板を筐体に固定部が固定して、筐体内に収納された電子機器を筐体に支持する。
【００１１】
このように構成された本発明の支持具によれば、緩衝部材が、電子機器の開口部側端面に当接して押さえ板で押圧されると当接面からはみ出して、電子機器の開口部側端部を掴持し、電子機器と押さえ板（ひいては筐体）との間に緩衝部材が介在した状態で、電子機器を筐体に支持することができる。
【００１２】
そして、電子機器及び筐体の一方から他方へ伝わる衝撃や振動などの外力は、緩衝部材を通してもう一方に伝わろうとする。このとき、緩衝部材が弾性をもつエラストマー又は膠化体状樹脂のため、緩衝部材を通る外力を、緩衝部材の変形により吸収して伝播する外力を緩和できる。そして、変形した緩衝部材は、緩衝部材の弾性体としての復元力により元の形状に戻るため掴持状態を維持できる。
【００１３】
また、緩衝部材が当接する電子機器の開口部側端面を支持面とするため、緩衝部材が外力を受ける面積を広くとることができ、緩衝部材が受ける圧力が小さくなり、高い緩衝性能をもつ支持具にできる。
尚、緩衝部材は、上記支持具を構成し得る形状であれば、特に具体的な形状は限定されない。また、本緩衝部材の材質は、押圧による変形が容易で開口部側端部を掴持するのに適し、弾性を持ち衝撃及び振動を吸収・緩和できるエラストマーまたは膠化体状樹脂を使用する。
【００１４】
このうち、膠化体状樹脂は、樹脂成分が相互に架橋して網目状の組織を形成するとともに、その網目組織の間隙に可塑剤等の流動性成分を包含したまま、全体としての流動性を失ってゲル状になっているため（換言すれば、いわゆる粘弾性を示し、損失係数がきわめて大きいため）、振動を速やかに収束させることができる点で特に望ましい。
【００１５】
また、押さえ板は、緩衝部材が電子機器の開口部側端部を掴持するように、緩衝部材を押圧して変形させるような形状になっている。具体的に、押さえ板の形状は、緩衝部材が、押さえ板からの押圧力により電子機器の開口部側端部に押し付けられ変形して、電子機器の開口部側端部の３面〜５面に接触し、開口部側端面を掴持するようになっていれば平板でも良いし、特に掴持しやすいように箱型や、お椀型などの形状となっていても良い。
【００１６】
ところで、押さえ板にて緩衝部材を押圧する際に、より確実に電子機器を掴持する状態にするには、押さえ板に凹部を持った請求項２記載の支持具のようにするとよい。
即ち、請求項２記載の支持具においては、押さえ板の緩衝部材との対向面には、緩衝部材を押圧した際に、電子機器の開口部側端面に当接して、押さえ板側に戻される緩衝部材を収納するための凹部が形成されている。
【００１７】
このような構造の本発明（請求項２）の支持具によれば、押さえ板により、電子機器の開口部側端面に緩衝部材を当接して押圧すると、押さえ板に凹部が形成されているため、押さえ板側に戻された緩衝部材が凹部に収納されるように変形して、コの字形状になろうとし、当接する電子機器の開口部側端部を挟み込むような状態になる。このため、押さえ板の押圧による力が、電子機器の開口部側端部を掴持するように加わり易く、掴持の精度が高くなる。
【００１８】
また、緩衝部材がコの字形状になろうとするとき、２方から挟み込まれる電子機器の開口部側端部には、コの字形状の中心位置となる凹部の中心方向に移動するような力がかかる。このため、筐体に支持したときの電子機器の位置を押さえ板の凹部の位置にて決めることができる。このように、本支持具では、押さえ板を筐体に固定する際に、電子機器の位置がある程度ずれていても、押さえ板の凹部の形状に習って電子機器が移動するため、電子機器の細かい位置設定が不要で、支持具での支持作業を容易にできる。
【００１９】
尚、押さえ板の凹部には、あらかじめ緩衝部材が入り込むようになっていても良いが、空間が空いていた方が緩衝部材の移動がしやすく、より掴持する状態となりやすいので好ましい。
一方、電子機器の交換を頻繁に行う用途の筐体において、支持具での支持手順を簡単にしたい場合がある。このためには、固定部を請求項３に記載のように構成すると良い。
【００２０】
即ち、請求項３記載の支持具における固定部は、押さえ板の一端を筐体の開口部付近に回動可能にヒンジ部で固定し、ヒンジ部を中心に押さえ板を回動させて、押さえ板にて緩衝部材を押圧した際、押さえ板のヒンジ部とは反対側端部を係止部で筐体に着脱自在に固定する。
【００２１】
このように構成された、本発明（請求項３）の支持具では、係止部の係止を解除し、押さえ板をヒンジ部を中心に回動させて外すことにより、電子機器の支持を解除して電子機器を交換することができる。この時、押さえ板は、ヒンジ部により保持されているので、押さえ板の行方を気にする必要が無い。また、本支持具では、押さえ板の装着の際も、ヒンジ部を中心に押さえ板を回動して係止部で係止するだけで押さえ板を装着でき、筐体に対する押さえ板の位置あわせが不要である。このように本支持具では、押さえ板の脱着作業を容易にできる。
【００２２】
一方、一つの筐体に、複数種類の電子機器の内いずれでも装備できるようにしたい場合がある。このとき、押さえ具及び緩衝部材を変えずに複数種類の電子機器を支持できるようにするには、請求項４に記載のような補助具を備えると良い。
【００２３】
即ち、請求項４記載の支持具においては、緩衝部材にて掴持可能な大きさの突起部を有し、突起部が電子機器の開口部側端部から突出するように電子機器に装着可能な補助具を備える。
このように構成された、本発明（請求項４）の支持具によれば、補助具の突起部が見かけ上電子機器の開口部側端部となり、補助具の突起部を、押さえ板により押圧された緩衝部材に掴持させて、電子機器を筐体に支持できる。このため、電子機器毎に、当該電子機器に装着可能な補助具を用いることにより、開口部側端面の形状が違う電子機器を一つの筐体に支持することができる。
【００２４】
また、補助具を用いない場合には、押さえ板及び緩衝部材の大きさは、電子機器の開口部側端部を掴持するために開口部側端面より大きくする必要があるなど、電子機器の開口部側端面の形状による制約を受ける。しかし、補助具を用いると、補助具の突起部が見かけ上の電子機器の開口部側端部になり、電子機器の開口部側端面の形状による制約を受けることなく、突起部の形状は押さえ板及び緩衝部材の状態により設定するので、押さえ板及び緩衝部材の形状を、筐体の形状や使用状況等に応じて設定することができる。例えば、他の部品との干渉など筐体の制約により、押さえ板を電子機器の開口部側端面の大きさまで大きくできない場合や、想定される衝撃及び振動が小さく、緩衝部材の面積（ひいては、押さえ板の大きさ）を大きくする必要が無い場合、逆に緩衝効果を高めるため緩衝部材の面積を電子機器の開口部側端面より大きくしたい場合などにおいて、補助具を用いることにより、各々の状況に応じた押さえ板及び緩衝部材を設定できる。
【００２５】
一方、請求項５記載の電子機器の収納装置においては、電子機器を収納可能で、少なくとも側壁の一部が開口された筐体と、筐体の開口部に設けられ、筐体内に収納された電子機器を筐体に支持する支持具とを備えた電子機器の収納装置であって、この支持具は、請求項１〜請求項４何れか記載の支持具であることを特徴とする。
【００２６】
このように構成された本発明（請求項５）の電子機器の収納装置によれば、電子機器及び筐体の一方から他方へ伝わる衝撃や振動を緩和可能なように、電子機器を筐体内に収納することができる。
また、請求項６記載の電子機器の収納装置において、筐体には、互いに対向する側壁に形成された一対の開口部が設けられ、支持具は、その一対の開口部に夫々設けられる。
【００２７】
このように構成された本発明（請求項６）の電子機器の収納装置によれば、筐体内に、電子機器を、電子機器の両側端で支持できる。このため、本収納装置は、電子機器と筐体とを直接接触しない状態とすることができ、高い緩衝効果をもつことができる。
【００２８】
【発明の実施の形態】
以下に本発明の実施例を図面と共に説明する。
［第１実施例］
図１は、本発明の第１実施例として、デスクトップ型のパーソナルコンピュータの一部となる筐体１０に、ハードディスクドライブ（以下、ＨＤＤと呼ぶ。）３０を搭載した状態を示す斜視図である。
【００２９】
第１実施例の支持具は、ＨＤＤ３０等を搭載する筐体１０において、ＨＤＤ３０及び筐体１０の一方から他方へ伝わる衝撃や振動を緩和可能なように、ＨＤＤ３０を筐体１０に支持する物である。
そして、本支持具は、本発明の電子機器に相当するＨＤＤ３０に装着した補助具４０、補助具４０をＨＤＤ３０に固定するねじ５０、補助具４０に当接する緩衝部材７０、緩衝部材７０を押さえる押さえ板６０、押さえ板６０を筐体１０に固定するねじ８０で構成されている。
【００３０】
尚、ねじ８０は、本発明の固定具に相当する。
また、ＨＤＤ３０は、金属製のケース内に内部機構を収納した構造になっていて、その外形は、例えばＡＴＡＰＩ規格の３．５インチサイズの大きさで、薄い直方体状になっている。そして、ＨＤＤ３０には、両側面に支持用のねじ穴がＡＴＡＰＩ規格に従いあけられている（通常片側あたり３カ所あけられている。）。
また、本発明の要部には直接関係しないので、図示を省略しているが、ＨＤＤ３０からは、パーソナルコンピュータ側及び電源側との接続に必要なケーブル等が外部へ導出されている。
【００３１】
また、補助具４０は、図２（ａ）に示す様に、略長方形の板金からなり、板金の途中から延出した板状の突起部４１、及び、その突起部４１が延出した箇所の両側の２箇所に通し穴４２を備える。そして、突起部４１は、長方形の板金の長手方向に対し直角方向に切れ目を２カ所入れ、切れ目の端には応力が集中して亀裂が発生しないよう円弧状の加工をし、切れ目の間の板の部分を９０度折り曲げて作製されている。尚、突起部４１は、ＨＤＤ３０の重量及び使用環境で想定される外部からの衝撃を支えるのに十分な強度を有する、大きさ及び板厚に構成されている。また、通し穴４２は、ＨＤＤ３０の側面に開けられたねじ穴のうちの２箇所の位置に合致するように開けられている。
【００３２】
また、筐体１０は、ＨＤＤ３０等の電子機器を３個、縦方向に重なるように内蔵する空間をもつよう、金属板を方形の箱形に形成したものであり、その正面はＨＤＤ３０を挿入できるよう大きく開口し、左右の側面には、ＨＤＤ３０等の電子機器を３個、夫々支持するために開口した３対の開口部１２と、各開口部１２に対応する押さえ板６０を固定するためのねじ穴１４とが形成されている。尚、ねじ穴１４は、各開口部１２の左右に２箇所づつ形成されている。
【００３３】
また、筐体１０の内側には、各開口部１２の下方に、Ｌ字型の板金を逆さまにした状態の置き台１５が形成されている。これは、ＨＤＤ３０が押さえ板６０で支持される位置より若干下に位置し、押さえ板６０で支持する前のＨＤＤ３０の置き場所となる。
【００３４】
一方、押さえ板６０は、図２（ｂ）に示すように、長方形状の中央部が長手方向に沿って凹形状となっている凹部６３、凹形状の両端の平らになった部分の平部６４、平部６４から延出したフランジ部６５、ねじ８０を通すための通し穴６２で構成されている。尚、押さえ板６０は、長方形状の板金を、長手方向に沿って凹形状となるよう折り曲げて凹部６３を形成し、この凹部６３の両端を開いて平らにして平部６４とし、平部６４の各両端に計４箇所フランジ部６５を形成し、各フランジ部６５に通し穴６２を開けることにより作製されている。そして、押さえ板６０の全体の幅は、押さえ板６０を筐体１０に取り付けた時に、隣の押さえ板６０と重ならないような幅で、凹部６３の幅は、押さえ板６０を筐体１０に取り付けた状態で緩衝部材７０が入り込む空間を確保できる幅で、凹部６３の深さは、補助具４０の突起部４１の高さと同じか、より深い深さである。
【００３５】
また、緩衝部材７０は、平板状の形状で、その大きさは、押さえ板６０が筐体１０に固定する位置まで緩衝部材７０を押圧して、緩衝部材７０が変形させられた状態にて補助具４０の突起部４１を掴持するのに十分な幅及び厚さとなっていて、長手方向の長さは、押さえ板６０の凹部６３の長さに合わせてある。
【００３６】
そして、緩衝部材７０の材質は、ウレタン樹脂系のゲル状材料からなる膠化体状樹脂である。この膠化体状樹脂は、ウレタン樹脂が相互に架橋して網目状の組織を形成するとともに、その網目組織の間隙に可塑剤等の流動性成分を包含したまま、全体としての流動性を失ってゲル状になっているものである。このような膠化体状樹脂は、いわゆる粘弾性を示し、損失係数が比較的大きいため、伝達された振動エネルギーの大部分を、内部で熱エネルギーに変換して消費させることができ、優れた緩衝性能を発揮する。尚、緩衝部材７０は、押さえ板６０の平部６４に接着されている。
【００３７】
ここで、ＨＤＤ３０を、第１実施例の支持具で筐体１０に支持する時の手順を、図３に示し説明する。尚、図３は、図１の矢視Ａ−Ａ部分の断面を示したものである。
まず、筐体１０のＨＤＤ３０を内蔵しようとする位置の両側の開口部１２に、それぞれ補助具４０を突起部４１が開口部１２から外に出るように筐体１０の内側にもっていき、ＨＤＤ３０を筐体１０内の補助具４０と同じ位置に挿入して置き台１５の上に置く。そして、開口部１２の外側から補助具４０の通し穴４２を通した２本のねじ５０で、両側の補助具４０をＨＤＤ３０に固定する。
【００３８】
次に、図３（ａ）に示すように、それぞれの開口部１２の位置に、緩衝部材７０が装着された押さえ板６０をもってくる。
次に、押さえ板６０を押して緩衝部材７０を補助具４０の突起部４１に押圧し、図３（ｂ）のように、緩衝部材７０が押さえ板６０の凹部６３に収納されるように変形させる。
【００３９】
次に、図３（ｃ）のように、さらに押さえ板６０を押し込み、押さえ板６０の平部６４が、筐体１０に当接する位置にする。そして、この状態でねじ８０を、押さえ板６０の通し穴６２を通して筐体のねじ穴１４に締め込む。これにより、押さえ板６０を筐体１０に固定して、ＨＤＤ３０の筐体１０への支持作業を完了する。
【００４０】
つまり、押さえ板６０により緩衝部材７０を、補助具４０の突起部４１に押圧すると、緩衝部材７０は、凹部６３に収納されるように変形してコの字形状になろうとし、突起部４１を挟み込むような状態になる。そして、押さえ板６０からの押圧力が緩衝部材７０から突起部４１に加わり、緩衝部材７０が補助具４０を掴持するようになる。このとき、緩衝部材７０に挟み込まれた突起部４１では、突起部４１の両側面での力が均等になるよう、凹部６３の中心位置に移動するような力が働くため、置き台１５に置かれ、凹部６３の中心位置からずれていたＨＤＤ３０は、置き台１５から持ち上がり、凹部６３の中心位置付近に来る。そして、押さえ板６０をねじ８０で筐体１０に固定することにより、補助具４０（ひいてはＨＤＤ３０）と、押さえ板６０（ひいては筐体１０）との間に、緩衝部材７０を介在させ、ＨＤＤ３０を筐体１０内に支持する状態となる。
【００４１】
尚、第１実施例の支持具では、前後方向の外力に対しては、ＨＤＤ３０を積極的に支持する構造にはなっていないが、緩衝部材７０は粘性が大きく、摩擦力により保持される状態となっている。
また、上記支持手順は、ＨＤＤ３０の両側を同時に支持していくように説明したが、片方づつ行ってもよい。
【００４２】
［効果］
以上説明したように、第１実施例の支持具によれば、ＨＤＤ３０に固定した補助具４０の突起部４１を、膠化体状樹脂からなる緩衝部材７０にて掴持した状態で、ＨＤＤ３０を筐体１０内に支持することができる。
【００４３】
このため、ＨＤＤ３０及び筐体１０の一方から他方へ伝わる衝撃や振動などの外力を、緩衝部材７０の変形により吸収できる。そして、変形した緩衝部材７０は、弾性体としての復元力により元の形状に戻るため掴持状態を維持できる。特に、補助具４０の突起部４１の形状が水平方向に広く、上下方向の力を受ける緩衝部材７０の面積が広くなっているため、ＨＤＤ３０としてクリティカルな衝撃方向である上下方向の衝撃に対して、高い緩衝性能を得ることができる。
【００４４】
また、従来のように、ＨＤＤ３０を筐体に直接ねじで固定する場合は、ＨＤＤ３０のねじ穴位置を筐体の穴位置にきっちり合わせてねじ止めする必要があったが、第１実施例の支持具では、ＨＤＤ３０の位置が多少ずれていても、押さえ板６０を筐体１０に固定する際に、補助具４０の突起部４１が押さえ板６０の凹形状に習うようにＨＤＤ３０が移動する。このため、ＨＤＤ３０の取り付け作業を、ＨＤＤ３０の位置を細かく気にすることなく行うことができ、作業性を向上できる。
［第２実施例］
次に、第２実施例として、携帯型音楽再生装置における支持具について説明する。
【００４５】
図４は、本発明の第２実施例の支持具を用いた携帯型音楽再生装置の全体的構成を示す斜視図である。また図５は、この携帯型音楽再生装置の断面図である。尚、携帯型音楽再生装置とは、装置本体の筐体１１０内に収納されたＰＣカード１３０に記憶された音楽データを、図示しない音楽再生ユニットで再生する装置である。
【００４６】
第２実施例の支持具は、この携帯型音楽再生装置において、筐体１１０及びＰＣカード１３０の一方から他方へ伝わる衝撃や振動を緩和可能なように、ＰＣカード１３０の一端を筐体１１０に支持するものである。
そして、本支持具は、筐体１１０とともに外郭の一部となり、本発明の押さえ板に相当する押さえ蓋１６０、本発明の電子機器に相当するＰＣカード１３０に当接する緩衝部材１７０、押さえ蓋１６０の一端を筐体１１０の開口部１１２付近に回動可能に固定するヒンジ部１８１、筐体１１０の開口部１１２付近に装着された連結具１８３に着脱自在に係止する係止具１８２で構成されている。
【００４７】
尚、ＰＣカード１３０は、例えばＰＣカード規格（ＰＣ　Ｃａｒｄ　Ｓｔａｎｄａｒｄ）のｔｙｐｅ２に準ずる形状の板状の直方体に形成され、筐体１１０と機械的に接続し、かつ筐体１１０に内蔵する音楽再生ユニットと電気的に接続するためのコネクタ１３１を備える。
【００４８】
また、筐体１１０は、方形の箱形に、金属または樹脂で形成されたものであり、ＰＣカード１３０を挿入するための開口部１１２と、筐体１１０内におけるＰＣカード１３０の概略の位置を設定するガイド１１３と、ＰＣカード１３０を挿入する空間の端に設けられたコネクタ１１１とを備える。尚、このコネクタ１１１は、ＰＣカード１３０のコネクタ１３１と嵌合できるようになっている。
【００４９】
また、押さえ蓋１６０は、方形の箱型に、金属または樹脂で形成されたものであり、筐体１１０の開口部１１２と対向し、開口部１１２を閉塞するように重なる対向部１６２と、内設される緩衝部材１７０がＰＣカード１３０と当接し押し戻されて入ることができる凹部１６３とが形成されている。また、押さえ蓋１６０は、対向部１６２付近を、ヒンジ部１８１で筐体１１０の開口部１１２付近に取り付けられ、これと反対側の対向部１６２付近に係止具１８２が取り付けられている。そして、筐体１１０には、対向部１６２が開口部１１２と重なった状態で、係止具１８２に連結される連結具１８３が取り付けられている。
【００５０】
一方、緩衝部材１７０は、材質が、第１実施例の緩衝部材７０と同様の材料である。そして、緩衝部材１７０は、略直方体の形状で、ＰＣカード１３０と当接する部分が、ＰＣカード１３０の形状に沿うように凹形状となっており、押さえ蓋１６０に内設した状態で、押さえ蓋１６０の対向部１６２より外側にはみ出し、対向部１６２を筐体１１０の開口部１１２に重ねたときに筐体１１０側へ入り込む大きさになっている。尚、筐体１１０のガイド１１３による空間は、押さえ蓋１６０を閉じて緩衝部材１７０がＰＣカード１３０に押圧された時に、緩衝部材１７０が緩衝効果を得るだけ入り込むスペースがあるような広さになっている。また、緩衝部材１７０は、押さえ蓋１６０内の底面に、接着剤により接着されている。
【００５１】
また、係止具１８２及び連結具１８３は、それぞれ弾性変形可能な合成樹脂により一体成形されている。そして、係止具１８２は、断面が矢尻形状の係止突片１８２ａを備える。また、連結具１８３は、係止突片１８２ａを挿入可能な挿入空間１８３ｃと、係止突片１８２ａを挿入するための、係止突片１８２ａより高さ方向が低い開口部１８３ａと、係止突片１８２ａの挿入状態で、係止突片１８２ａの矢尻形状部分を押すことができるよう開けた開放窓１８３ｂとを備える。
【００５２】
尚、係止具１８２と連結具１８３とは次のように係止及び解除される。
まず、係止具１８２の係止突片１８２ａを連結具１８３の開口部１８３ａに押し込むと、係止突片１８２ａは、矢尻形状の部分が開口部１８３ａの大きさに習って弾性変形して開口部１８３ａを通る。そして、係止突片１８２ａは、連結具１８３の挿入空間１８３ｃに達すると、元の矢尻形状に戻り、開口部１８３ａに対し逆止片として作用して、係止具１８２が連結具１８３に係止される。
【００５３】
次に、連結具１８３に開けられた開放窓１８３ｂから係止突片１８２ａを手で押して、開口部１８３ａの高さまで変形させると、係止突片１８２ａの逆止片としての作用は無くなり、係止具１８２は係止が解除される。
ここで、ＰＣカード１３０を筐体１１０内部に挿入し、その一端を押さえ蓋１６０で支持するときの手順について説明する。
【００５４】
まず、ＰＣカード１３０を筐体１１０の開口部１１２からガイド１１３に挿入して押し込み、ＰＣカード１３０のコネクタ１３１と、筐体１１０のコネクタ１１１とを嵌合させる。
次に、手で、押さえ蓋１６０をヒンジ部１８１にて回動させ、緩衝部材１７０をＰＣカード１３０に押し当てる。
【００５５】
次に、さらに押さえ蓋１６０を押し、押さえ蓋１６０の対向部１６２が筐体１１０の開口部１１２に重なる状態にするとともに、係止具１８２の係止突片１８２ａを連結具１８３に挿入して係止して、押さえ蓋１６０を筐体１１０に固定する。
【００５６】
つまり、はじめの押さえ蓋１６０が開いた状態では、図５（ａ）のように、緩衝部材１７０は略直方体状である。そして、押さえ蓋１６０が筐体１１０の開口部１１２に重なった状態では、図５（ｂ）のように、緩衝部材１７０が変形して、押さえ蓋１６０の凹部１６３の中に入り込むと共に、筐体１１０のガイド１１３側にも入り込み、ＰＣカード１３０の端部を掴持するようになっている。
【００５７】
このとき、押さえ蓋１６０の凹部１６３に緩衝部材１７０が入り込むと、緩衝部材１７０がコの字のように変形して、ＰＣカード１３０を挟み込むため、ＰＣカード１３０は、押さえ蓋１６０の凹部１６３の中心位置の方へ移動する。そして、ＰＣカード１３０とガイド１１３の間にも隙間ができて緩衝部材１７０が入り込むため、ＰＣカード１３０は、ガイド１１３とは接触しなくなっている。このように、ＰＣカード１３０の一端を、押さえ蓋１６０が緩衝部材１７０を介して筐体１１０に支持している。
［効果］
以上説明したように、第２実施例の支持具では、ＰＣカード１３０の一端を、緩衝部材１７０が掴持して、ＰＣカード１３０と押さえ蓋１６０との間に緩衝部材が介在した状態で、ＰＣカード１３０の一端を筐体１１０に支持できる。
【００５８】
そして、緩衝部材１７０が弾性をもち緩衝性能に優れる膠化体樹脂のため、本実施例の支持具では、ＰＣカード１３０の一端及び筐体１１０の一方から他方へ伝わる衝撃や振動などの外力に対し、緩衝部材１７０の変形により吸収でき、変形した緩衝部材１７０は、その弾性体としての復元力により元の形状に戻り掴持状態を維持できる。
【００５９】
また、本支持具では、押さえ蓋１６０を筐体１１０に固定する前、ＰＣカード１３０が偏りガイド１１３に当たる状態であっても、ＰＣカード１３０が押さえ蓋１６０の凹形状に習い移動するため、ＰＣカード１３０の位置を気にすることなく装着でき、また、押さえ蓋１６０の固定位置はヒンジ部１８１により決まり、押さえ蓋１６０の位置あわせをする必要も無い。このように、本支持具では、支持具での支持作業を簡易にできる。
［変形例］
以上、本発明の実施形態について説明したが、本発明は上記の具体的な実施形態に限定されず、このほかにも様々な形態で実施することができる。
【００６０】
例えば、被支持物として、第１実施例ではＨＤＤ３０としたが、これに限るものでは無く、同じＡＴＡＰＩ規格に準拠する外形のものであれば第１実施例の支持具で支持可能である。また、ＡＴＡＰＩ規格外の形状の被支持物でも、被支持物へ取り付ける箇所の形状が被支持物に合った補助具とすれば、第１実施例の支持具で支持可能である。
【００６１】
また、第２実施例においてもＰＣカード１３０を、磁気ディスクを有した記憶装置としての機能を持つものとしたが、ＰＣカード規格に従う形状の種々あるＰＣカードであれば支持可能である。また、ＰＣカード規格に従わない場合は、形状にあった押さえ蓋及び緩衝部材とする、若しくは補助具を用いれば支持可能である。
【００６２】
また、第１実施例の補助具４０は、ＨＤＤ３０側面の長手方向に板状の突起部４１となるようにしているが、長手方向に対し直交する方向に板状となる突起部４１とし、凹部６３の方向を突起部４１に合うようにした押さえ板６０及び、これらに大きさを合わせた緩衝部材７０で、ＨＤＤ３０を筐体１０に支持するようにしたものでもよい。このとき、１組の補助具４０、押さえ板６０及び緩衝部材７０ではＨＤＤ３０を支えきれない場合など、要すればこの補助具４０、押さえ板６０及び緩衝部材７０を複数組取り付ける。
【００６３】
これは、補助具４０の突起部４１が板状で面積が広くなった方向が、衝撃や振動に対し緩衝性能が高くなることを利用するものであり、筐体１０が前後方向に９０度回転して置かれる場合や、前後方向に大きい衝撃が加わることが想定される場合に有効である。
【００６４】
また、第１実施例の押さえ板６０は、曲げ加工による製作のため、平部６４の２箇所が離れるので、各平部６４の両端に設けた４箇所のフランジ部６５で、ねじ８０により筐体１０に固定するようにしている。これに対し、図２（ｃ）に示す押さえ板６０´のように、長方形の板金材料の中央部分に、絞り加工により凹部６３´を形成して製作したものを用いても良い。この場合、板金材料の長手方向の両端がフランジ部６５´となり、平部６４´の２箇所がフランジ部６５´でつながるため、フランジ部６５´に開ける通し穴６２´を片側１箇所とし、筐体１０のねじ穴１４を通し穴６２´に対応するように片側１箇所とすると、押さえ板６０´を筐体１０へ固定のためのフランジ部６５´におけるねじ８０の止めが、片側１箇所（計２箇所）でできる。これにより、取り付け作業を容易にできる。
【図面の簡単な説明】
【図１】第１実施例の筐体１０にＨＤＤ３０を搭載した状態を表す斜視図である。
【図２】第１実施例の補助具４０及び押さえ板６０を表す正面図及び側面図である。
【図３】第１実施例の押さえ板６０を装着時の状態を説明する図である。
【図４】第２実施例の携帯型音楽再生装置の全体的構成を表す斜視図である。
【図５】第２実施例の携帯型音楽再生装置の押さえ蓋１６０を開閉時の状態を表す断面図である。
【符号の説明】
１０…筐体、３０…ハードディスクドライブ、４０…補助具、５０…ねじ、６０…押さえ板、７０…緩衝部材、８０…ねじ、１１０…筐体、１３０…ＰＣカード、１６０…押さえ蓋、１７０…緩衝部材、１８１…ヒンジ部、１８２…係止具、１８３…連結具。
【図１】
2004128396.tif 000003
【図２】
2004128396.tif 000004
【図３】
2004128396.tif 000005
【図４】
2004128396.tif 000006
【図５】
2004128396.tif 000007